(57)【要約】【課題】テレビジョン受像機と外部機器とが接続された環境において、ユーザが省電力モードの設定を効率良く行えるようにすることである。【解決手段】外部機器であるＨＤＤ一体型光ディスク装置４０を制御可能なテレビジョン受像機２０において、省電力キー２９ａ、３５ａを備え、省電力キー２９ａ又は３５ａが操作された場合、本テレビジョン受像機２０の省電力モードを有効にするとともに、ＨＤＤ一体型光ディスク装置４０の省電力モードを有効にする信号を出力する構成とする。【選択図】図１
2012039421.tif 000002
【特許請求の範囲】
【請求項１】
外部機器を制御可能なテレビジョン受像機において、
省電力キーが操作された場合、本テレビジョン受像機の省電力モードを有効にするとともに、前記外部機器の省電力モードを有効にする信号を出力することを特徴とするテレビジョン受像機。
【請求項２】
前記外部機器の省電力モードは、表示部の明るさを調整するディマー設定を含むことを特徴とする請求項１記載のテレビジョン受像機。
【請求項３】
前記省電力キーがリモコンに設けられていることを特徴とする請求項１又は２記載のテレビジョン受像機。
【請求項４】
前記外部機器とＨＤＭＩ接続され、
本テレビジョン受像機及び前記外部機器のＨＤＭＩ−ＣＥＣ設定がオンである場合、前記省電力キーが操作された場合に本テレビジョン受像機の省電力モードを有効にするとともに、前記外部機器の省電力モードを有効にする信号を出力し、
本テレビジョン受像機又は前記外部機器の少なくとも一方のＨＤＭＩ−ＣＥＣ設定がオフである場合、前記省電力キーが操作された場合に本テレビジョン受像機の省電力モードを有効にすることを特徴とする請求項１〜３の何れかに記載のテレビジョン受像機。
【請求項５】
テレビジョン受像機と記録媒体再生装置とが互いに制御可能に接続されたテレビジョンシステムにおいて、
省電力キーが操作された場合、テレビジョン受像機の省電力モード及び前記記録媒体再生装置の省電力モードを有効にするよう制御することを特徴とするテレビジョンシステム。
【請求項６】
テレビジョン受像機を制御可能な記録媒体再生装置において、
省電力キーが操作された場合、本記録媒体再生装置の省電力モードを有効にするとともに、前記テレビジョン受像機の省電力モードを有効にする信号を出力することを特徴とする記録媒体再生装置。
【請求項７】
本記録媒体再生装置の省電力モードは、表示部の明るさを調整するディマー設定を含むことを特徴とする請求項６記載の記録媒体再生装置。
【請求項８】
前記省電力キーがリモコンに設けられていることを特徴とする請求項６又は７記載の記録媒体再生装置。
【請求項９】
前記テレビジョン受像機とＨＤＭＩ接続され、
本記録媒体再生装置及び前記テレビジョン受像機のＨＤＭＩ−ＣＥＣ設定がオンである場合、前記省電力キーが操作された場合に本記録媒体再生装置の省電力モードを有効にするとともに、前記テレビジョン受像機の省電力モードを有効にする信号を出力し、
本記録媒体再生装置又は前記テレビジョン受像機の少なくとも一方のＨＤＭＩ−ＣＥＣ設定がオフである場合、前記省電力キーが操作された場合に本記録媒体再生装置の省電力モードを有効にすることを特徴とする請求項６〜７の何れかに記載の記録媒体再生装置。
【発明の詳細な説明】
【技術分野】
【０００１】
本発明は、テレビジョン受像機、記録媒体再生装置及びそれらを接続したテレビジョンシステムに関し、詳しくは省電力モードの設定に関する。
【背景技術】
【０００２】
従来から、テレビジョン受像機や光ディスク装置には表示部の明るさを調整するディマー設定など、省電力を目的とした機能が備えられているものがある。そして、省電力を実行する省電力モードは手動で実行するものの他、自動で実行するものも種々提案されている。
【０００３】
例えば特許文献１には、テレビとＤＶＤプレーヤ、ＤＶＤレコーダはＨＤＭＩ（High-Definition Multimedia Interface）で接続されており、テレビはＤＶＤプレーヤがディスプレイに表示中の映像データを供給する機器であるのか否か、およびＤＶＤレコーダがディスプレイに表示中の映像データを供給する機器であるのか否かを判断し、ＤＶＤプレーヤがディスプレイに表示中の映像データを供給する機器でありＤＶＤレコーダがディスプレイに表示中の映像データを所定の期間に亘って供給しない機器である場合、ＨＤＭＩ−ＣＥＣを利用してＤＶＤレコーダの電源状態を省電力状態に移行させるコマンドをＤＶＤレコーダに送信し、ＤＶＤレコーダを省電力状態に移行させる構成が開示されている。
【０００４】
また特許文献２には、テレビジョン受像機の本体側制御手段は、ディスク判別手段での判別の結果をマイコンなどから受けるなどして、映像を含まないコンテンツのみが格納された記録ディスクが再生対象となっている場合、バックライトを消灯や減光させるようにバックライト制御回路を制御するなど、表示手段に対し消費電力を減らすように制御する駆動制御手段を有するテレビジョン受像機が開示されている。
【０００５】
また特許文献３には、動作状態情報生成タイムカウンタが示す時間が、情報生成閾値時間以下であると、省電力状態への遷移指示があったか否かを判定し、省電力状態遷移ボタンが押下されると、省電力状態へ遷移し、省電力状態への遷移指示がないと、動作状態情報生成タイムカウンタが示す時間が情報生成閾値時間より長い場合に、低電力状態遷移処理を実行し、低電力状態へ遷移する情報処理装置が開示されている。
【先行技術文献】
【特許文献】
【０００６】
【特許文献１】特開２００９−１６８９７号公報
【特許文献２】特開２００７−１６６３０１号公報
【特許文献３】特開２００７−４４７４号公報
【発明の概要】
【発明が解決しようとする課題】
【０００７】
ところで、テレビジョン受像機には光ディスク装置などの外部機器が接続されて使用されることが多く、近年では特許文献１のようにＨＤＭＩによる接続が主流となっている。ＨＤＭＩ規格では、ＣＥＣ（Consumer Electronics Control）と呼ばれる機器制御信号と制御プロトコルが規格化されており、映像、音声の伝送のみならず、ＨＤＭＩケーブルで接続されている機器の制御も行うことが可能である。例えば、テレビ受像機に録画機器をＨＤＭＩ接続している場合、テレビ受像機から録画機器へ直接録画を指示することが可能となっている。
【０００８】
本発明は、テレビジョン受像機と外部機器とが接続された環境において、ユーザが省電力モードの設定を効率良く行えるようにすることを目的とする。
【課題を解決するための手段】
【０００９】
上記目的を達成するために本発明は、外部機器を制御可能なテレビジョン受像機において、省電力キーが操作された場合、本テレビジョン受像機の省電力モードを有効にするとともに、前記外部機器の省電力モードを有効にする信号を出力することを特徴とする。
【００１０】
上記のテレビジョン受像機において、前記外部機器の省電力モードは、表示部の明るさを調整するディマー設定を含むことが望ましい。
【００１１】
また上記のテレビジョン受像機において、前記省電力キーがリモコンに設けられていることが望ましい。
【００１２】
また上記のテレビジョン受像機において、前記外部機器とＨＤＭＩ接続され、本テレビジョン受像機及び前記外部機器のＨＤＭＩ−ＣＥＣ設定がオンである場合、前記省電力キーが操作された場合に本テレビジョン受像機の省電力モードを有効にするとともに、前記外部機器の省電力モードを有効にする信号を出力し、本テレビジョン受像機又は前記外部機器の少なくとも一方のＨＤＭＩ−ＣＥＣ設定がオフである場合、前記省電力キーが操作された場合に本テレビジョン受像機の省電力モードを有効にするようにしてもよい。
【００１３】
また本発明は、テレビジョン受像機と記録媒体再生装置とが互いに制御可能に接続されたテレビジョンシステムにおいて、省電力キーが操作された場合、テレビジョン受像機の省電力モード及び前記記録媒体再生装置の省電力モードを有効にするよう制御することを特徴とする。
【００１４】
また本発明は、テレビジョン受像機を制御可能な記録媒体再生装置において、省電力キーが操作された場合、本記録媒体再生装置の省電力モードを有効にするとともに、前記テレビジョン受像機の省電力モードを有効にする信号を出力することを特徴とする。
【００１５】
上記の記録媒体再生装置において、本記録媒体再生装置の省電力モードは、表示部の明るさを調整するディマー設定を含むことが望ましい。
【００１６】
また上記の記録媒体再生装置において、前記省電力キーがリモコンに設けられていることが望ましい。
【００１７】
また上記の記録媒体再生装置において、前記テレビジョン受像機とＨＤＭＩ接続され、本記録媒体再生装置及び前記テレビジョン受像機のＨＤＭＩ−ＣＥＣ設定がオンである場合、前記省電力キーが操作された場合に本記録媒体再生装置の省電力モードを有効にするとともに、前記テレビジョン受像機の省電力モードを有効にする信号を出力し、本記録媒体再生装置又は前記テレビジョン受像機の少なくとも一方のＨＤＭＩ−ＣＥＣ設定がオフである場合、前記省電力キーが操作された場合に本記録媒体再生装置の省電力モードを有効にするようにしてもよい。
【発明の効果】
【００１８】
本発明によると、ユーザはテレビジョン受像機側の省電力キーを操作するだけで、テレビジョン受像機だけでなく記録媒体再生装置も省電力モードにすることができるので、記録媒体再生装置を操作する手間が省かれ、効率が良い。
【００１９】
また本発明によると、ユーザは記録媒体再生装置側の省電力キーを操作するだけで、記録媒体再生装置だけでなくテレビジョン受像機も省電力モードにすることができるので、テレビジョン受像機を操作する手間が省かれ、効率が良い。
【図面の簡単な説明】
【００２０】
【図１】本発明のテレビジョンシステムにおけるテレビジョン受像機の構成を詳しく説明するブロック図である。
【図２】本発明のテレビジョンシステムにおけるＨＤＤ一体型光ディスク装置の構成を詳しく説明する図である。
【図３】本発明のテレビジョン受像機の省電力モードに関する動作を示すフローチャートである。
【図４】本発明のＨＤＤ一体型光ディスク装置の省電力モードに関する動作を示すフローチャートである。
【発明を実施するための形態】
【００２１】
本発明のテレビジョンシステムは少なくとも１台のテレビジョン受像機と１台の記録媒体再生装置とが接続されてなるシステムである。以下では、記録媒体再生装置の一例として、ハードディスクドライブ（ＨＤＤ）一体型光ディスク装置を用いて説明する。
【００２２】
図１は、本発明のテレビジョンシステムにおけるテレビジョン受像機の構成を詳しく説明するブロック図であり、図２は、本発明のテレビジョンシステムにおけるＨＤＤ一体型光ディスク装置の構成を詳しく説明する図である。
【００２３】
テレビジョンシステム１０は、デジタル放送を受信可能なテレビジョン受像機２０と、テレビジョン受像機２０に接続された外部機器であるデジタル放送を受信可能なＨＤＤ一体型光ディスク装置４０と、テレビジョン受像機２０とＨＤＤ一体型光ディスク装置４０とにそれぞれ接続されたアンテナ６０、６１とを含んでいる。テレビジョン受像機２０とＨＤＤ一体型光ディスク装置４０との接続は、映像信号及び音声信号を一方向又は双方向に、制御信号を双方向に伝送できるインターフェースであればよく、ここではＨＤＭＩ端子を用いるものとする。またテレビジョン受像機２０とＨＤＤ一体型光ディスク装置４０とは、それぞれのリモコン３５、５５によって操作可能である。
【００２４】
図１を参照してテレビジョン受像機２０の構成を説明する。テレビジョン受像機２０は、アンテナ６０で受信したテレビ放送信号を復調、デジタル化するチューナ２１と、チューナ２１やＨＤＤ一体型光ディスク装置４０から受け取った画像音声データや制御データを分離したり、逆に出力する画像音声データや制御データを結合したり、画像データを復号化したりすることで、入出力データを処理するデータ処理部２２と、各種設定値を表示部２６の一部に表示しながら設定できるようにするＯＳＤ（On Screen Display）部２３と、ＯＳＤ部２３からの画像データをアナログ化し、表示部２６へ出力する画像出力部２４と、データ処理部２２からの音声データをアナログ化し、表示部２６へ出力する音声出力部２５と、表示部２６と、ＲＯＭやＲＡＭからなるメモリ２７と、リモコン３５からの信号を受信するリモコン受信部２８と、省電力キー２９ａなどの各種操作キーを有する操作部２９と、ＨＤＤ一体型光ディスク装置４０が接続される外部Ｉ／Ｆ３０と、テレビジョン受像機２０の各部を制御する制御部３１とを備えている。
【００２５】
次に図２を参照してＨＤＤ一体型光ディスク装置４０の構成を説明する。ＨＤＤ一体型光ディスク装置４０は、アンテナ６１で受信したテレビ放送信号を復調、デジタル化するチューナ４１と、チューナ４１やテレビジョン受像機２０から受け取った画像音声データや制御データを分離したり、逆に出力する画像音声データや制御データを結合したり、画像データを復号化したり、画像音声データをＭＰＥＧ２等に準拠して圧縮符号化したり、ＨＤＤ記録再生部又はＢＤ（Blu-ray Disc）／ＤＶＤ記録再生部で再生された圧縮された画像データを伸長復号したりすることで、入出力データを処理するデータ処理部４２と、データ処理部４２から受け取った圧縮された画像音声データをＨＤＤに記録したり、ＨＤＤに記録されたデータを再生したりするＨＤＤ記録再生部４３と、データ処理部４２から受け取った圧縮された画像音声データを挿入されたＢＤ又はＤＶＤに記録したり、ＢＤ又はＤＶＤに記録されたデータを再生したりするＢＤ／ＤＶＤ記録再生部４４と、各種設定値をテレビジョン受像機２０の表示部２６の一部に表示しながら設定できるようにするＯＳＤ（On Screen Display）部４５と、ＲＯＭやＲＡＭからなるメモリ４６と、リモコン５５からの信号を受信するリモコン受信部４７と、テレビジョン受像機２０が接続される外部Ｉ／Ｆ４８と、省電力キー４９ａなどの各種操作キーを有する操作部４９と、ＶＦＤ（Vacuum Fluorecent Displays）等の表示部５０と、ＨＤＤ一体型光ディスク装置４０の各部を制御する制御部５１とを備えている。
【００２６】
次に、省電力モードについて説明する。まず、テレビジョン受像機２０側が操作された場合の省電力モードについて説明する。テレビジョン受像機２０の制御部３１は、ユーザによって本体側の省電力キー２９ａ又はリモコン３５側の省電力キー３５ａが操作された場合、テレビジョン受像機２０の省電力モードを有効にする（実行する）とともに、ＨＤＤ一体型光ディスク装置４０の省電力モードを有効にする（実行する）信号を出力するように制御する。
【００２７】
テレビジョン受像機２０の省電力モードとは、例えば、表示部２６の明るさ（輝度）を暗くしたりコントラストを下げたりして表示するモードであり、視聴中の省電力を実現するものである。テレビジョン受像機２０の省電力モードにおいては、輝度やコントラストの調整を周囲環境（周囲の明るさなど）に応じて自動で行うようにしてもよいし、予め設定された値に切り換えてもよい。
【００２８】
一方、ＨＤＤ一体型光ディスク装置４０の省電力モードとは、例えば、表示部５０の明るさ（輝度）を暗くするモードである。ＨＤＤ一体型光ディスク装置４０の省電力モードは設定メニューの中のディマー設定で行うことができ、常に明るく、常に暗く、自動等の中から選択できる。自動とは、例えば、記録媒体の再生中又は録画中は明るく、記録媒体の停止中は暗くするという設定である。
【００２９】
図３は、テレビジョン受像機２０の省電力モードに関する動作を示すフローチャートである。まず、テレビジョン受像機２０の電源がオンになると、ステップＳ１０においてテレビジョン受像機２０のＨＤＭＩ−ＣＥＣ設定がオンであるか否かを判別する。ＨＤＭＩ−ＣＥＣ設定とはＣＥＣコマンドを用いてＨＤＭＩ接続された機器と通信する機能を利用するか否かの設定であり、ユーザによりその機能を利用する場合はオンに、利用しない場合はオフに予め設定されている。
【００３０】
ステップＳ１０でテレビジョン受像機２０のＨＤＭＩ−ＣＥＣ設定がオンである場合は、ステップＳ１１へ進んでＨＤＤ一体型光ディスク装置４０のＨＤＭＩ−ＣＥＣ設定がオンであるか否かを判別する。これはテレビジョン受像機２０からＨＤＤ一体型光ディスク装置４０へ問い合わせることによって判別できる。
【００３１】
ステップＳ１１においてＨＤＤ一体型光ディスク装置４０のＨＤＭＩ−ＣＥＣ設定がオンである場合は、ステップＳ１２へ進んでテレビジョン受像機２０が用いているＣＥＣのベンダーコマンドにＨＤＤ一体型光ディスク装置４０が対応しているか否かを判別する。これはテレビジョン受像機２０からＨＤＤ一体型光ディスク装置４０へ問い合わせることによって判別できる。例えば、テレビジョン受像機２０とＨＤＤ一体型光ディスク装置４０とが同じベンダー機器であれば同じベンダーコマンドに対応していると判断するようにしてもよい。
【００３２】
ステップＳ１２においてテレビジョン受像機２０が用いているＣＥＣのベンダーコマンドにＨＤＤ一体型光ディスク装置４０が対応している場合、ステップＳ１３へ進んでテレビジョン受像機２０又はリモコン３５の省電力キー２９ａ又は３５ａが押下されるのを待つ。そしてステップＳ１３において省電力キー２９ａ又は３５ａが押下されると、ステップＳ１４へ進んでテレビジョン受像機２０の省電力モードを有効にするとともに、ＨＤＤ一体型光ディスク装置４０の省電力モードを有効にする信号を出力する。出力する信号としてはここではベンダーコマンドを用いる。
【００３３】
これにより、ユーザはテレビジョン受像機２０側の省電力キー２９ａ又は３５ａを操作するだけで、テレビジョン受像機２０だけでなくＨＤＤ一体型光ディスク装置４０も省電力モードにすることができるので、ＨＤＤ一体型光ディスク装置４０側の省電力キー４９ａ又は５５ａを操作する手間が省かれ、効率が良い。
【００３４】
一方、ステップＳ１０でテレビジョン受像機２０のＨＤＭＩ−ＣＥＣ設定がオフである場合、ステップＳ１１でＨＤＤ一体型光ディスク装置４０のＨＤＭＩ−ＣＥＣ設定がオフである場合、又はステップＳ１２でテレビジョン受像機２０が用いているＣＥＣのベンダーコマンドにＨＤＤ一体型光ディスク装置４０が対応していない場合、つまり、ＨＤＤ一体型光ディスク装置４０と省電力モードに関する制御信号の授受ができない場合は、ステップＳ１５へ進む。
【００３５】
ステップＳ１５ではテレビジョン受像機２０又はリモコン３５の省電力キー２９ａ又は３５ａが押下されるのを待つ。そしてステップＳ１５において省電力キー２９ａ又は３５ａが押下されると、ステップＳ１６へ進んでテレビジョン受像機２０の省電力モードを有効にする。
【００３６】
これにより、ユーザは操作した側の機器であるテレビジョン受像機２０を省電力モードにすることができるので、ユーザの目的は達成される。
【００３７】
なお、上記実施形態ではＨＤＤ一体型光ディスク装置４０の電源のオン／オフ状態に関係なく省電力モードを有効にする信号を送っているが、ＨＤＤ一体型光ディスク装置４０の電源がオフのときは省電力モードを有効にする信号を送らないようにしてもよい。
【００３８】
次に、ＨＤＤ一体型光ディスク装置４０側が操作された場合の省電力モードについて説明する。ＨＤＤ一体型光ディスク装置４０の制御部５１は、ユーザによって本体側の省電力キー４９ａ又はリモコン５５側の省電力キー５５ａが操作された場合、ＨＤＤ一体型光ディスク装置４０の省電力モードを有効にする（実行する）とともに、テレビジョン受像機２０の省電力モードを有効にする（実行する）信号を出力するように制御する。
【００３９】
図４は、ＨＤＤ一体型光ディスク装置４０の省電力モードに関する動作を示すフローチャートである。まず、ＨＤＤ一体型光ディスク装置４０の電源がオンになると、ステップＳ２０においてＨＤＤ一体型光ディスク装置４０のＨＤＭＩ−ＣＥＣ設定がオンであるか否かを判別する。ＨＤＭＩ−ＣＥＣ設定はユーザによりその機能を利用する場合はオンに、利用しない場合はオフに予め設定されている。
【００４０】
ステップＳ２０でＨＤＤ一体型光ディスク装置４０のＨＤＭＩ−ＣＥＣ設定がオンである場合は、ステップＳ２１へ進んでテレビジョン受像機２０のＨＤＭＩ−ＣＥＣ設定がオンであるか否かを判別する。これはＨＤＤ一体型光ディスク装置４０からテレビジョン受像機２０へ問い合わせることによって判別できる。
【００４１】
ステップＳ２１においてテレビジョン受像機２０のＨＤＭＩ−ＣＥＣ設定がオンである場合は、ステップＳ２２へ進んでＨＤＤ一体型光ディスク装置４０が用いているＣＥＣのベンダーコマンドにテレビジョン受像機２０が対応しているか否かを判別する。これはＨＤＤ一体型光ディスク装置４０からテレビジョン受像機２０へ問い合わせることによって判別できる。例えば、ＨＤＤ一体型光ディスク装置４０とテレビジョン受像機２０とが同じベンダー機器であれば同じベンダーコマンドに対応していると判断するようにしてもよい。
【００４２】
ステップＳ２２においてＨＤＤ一体型光ディスク装置４０が用いているＣＥＣのベンダーコマンドにテレビジョン受像機２０が対応している場合、ステップＳ２３へ進んでＨＤＤ一体型光ディスク装置４０又はリモコン５５の省電力キー４９ａ又は５５ａが押下されるのを待つ。そしてステップＳ２３において省電力キー４９ａ又は５５ａが押下されると、ステップＳ２４へ進んでＨＤＤ一体型光ディスク装置４０の省電力モードを有効にするとともに、テレビジョン受像機２０の省電力モードを有効にする信号を出力する。出力する信号としてはここではベンダーコマンドを用いる。
【００４３】
これにより、ユーザはＨＤＤ一体型光ディスク装置４０側の省電力キー４９ａ又は５５ａを操作するだけで、ＨＤＤ一体型光ディスク装置４０だけでなくテレビジョン受像機２０も省電力モードにすることができるので、テレビジョン受像機２０側の省電力キー２９ａ又は３５ａを操作する手間が省かれ、効率が良い。
【００４４】
一方、ステップＳ２０でＨＤＤ一体型光ディスク装置４０のＨＤＭＩ−ＣＥＣ設定がオフである場合、ステップＳ２１でテレビジョン受像機２０のＨＤＭＩ−ＣＥＣ設定がオフである場合、又はステップＳ２２でＨＤＤ一体型光ディスク装置４０が用いているＣＥＣのベンダーコマンドにテレビジョン受像機２０が対応していない場合、つまり、テレビジョン受像機２０と省電力モードに関する制御信号の授受ができない場合は、ステップＳ２５へ進む。
【００４５】
ステップＳ２５ではＨＤＤ一体型光ディスク装置４０又はリモコン５５の省電力キー４９ａ又は５５ａが押下されるのを待つ。そしてステップＳ２５において省電力キー４９ａ又は５５ａが押下されると、ステップＳ２６へ進んでＨＤＤ一体型光ディスク装置４０の省電力モードを有効にする。
【００４６】
これにより、ユーザは操作した側の機器であるＨＤＤ一体型光ディスク装置４０を省電力モードにすることができるので、ユーザの目的は達成される。
【００４７】
なお、上記実施形態ではテレビジョン受像機２０の電源のオン／オフ状態に関係なく省電力モードを有効にする信号を送っているが、テレビジョン受像機２０の電源がオフのときは省電力モードを有効にする信号を送らないようにしてもよい。
【００４８】
上記の実施形態ではテレビジョン受像機２０側、ＨＤＤ一体型光ディスク装置４０側にそれぞれ省電力キーが設けられているが、省電力キーは、少なくともどちらかの機器側に設けられておればよく、さらには、少なくとも機器本体又はリモコンのどちらかに設けられておればよい。
【００４９】
上記の実施形態では機器間がＨＤＭＩで接続されている例について説明したが、例えば同メーカーの機器間のＨＤＭＩ接続など、テレビジョン受像機と記録媒体再生装置との間でＣＥＣのベンダーコマンドの授受が可能になっている前提であれば、ステップＳ１２、Ｓ２２は省略できる。また、同メーカーの機器間特有の接続など、テレビジョン受像機と記録媒体再生装置との間で省電力モードに関する制御信号の授受が可能になっている前提であれば、相手機の仕様を確認する必要がないので、ステップＳ１０〜Ｓ１２、Ｓ２０〜Ｓ２２は省略できる。
【産業上の利用可能性】
【００５０】
本発明は、液晶、プラズマ、有機ＥＬ等からなる表示部を備えたテレビジョン受像機、記録媒体を再生するプレーヤや記録も可能なレコーダなどの記録媒体再生装置に利用することができる。記録媒体としてはＢＤ、ＤＶＤ、ＣＤ、ＨＤＤ等を用いることができる。
【符号の説明】
【００５１】
１０  テレビジョンシステム
２０  テレビジョン受像機
２９、４９  操作部
２９ａ、４９ａ、３５ａ、５５ａ  省電力キー
４０  ＨＤＤ一体型光ディスク装置（記録媒体再生装置）
３５、５５  リモコン
【図１】
2012039421.tif 000003
【図２】
2012039421.tif 000004
【図３】
2012039421.tif 000005
【図４】
2012039421.tif 000006